(57)【特許請求の範囲】
【請求項１】
表示手段を有し映像記録手段が一体的に組み込まれた映像記録手段付テレビジョン受像機において、
操作部の回転によってその回転量に従った第１の入力が行われると共に上記操作部の押圧によって第２の入力が行われる操作手段と、
上記操作手段による第２の入力が行われると上記映像記録手段の番組録画予約のための表示画面を上記表示手段に表示し、上記第１の入力に対応して上記予約録画の表示画面の設定項目の内容を表示し、更に上記第２の入力が行われると上記表示画面の設定項目の内容を決定するように制御する制御手段と
を備えたことを特徴とする映像記録手段付テレビジョン受像機。
【請求項２】
表示手段を有し映像記録手段が一体的に組み込まれた映像記録手段付テレビジョン受像機の番組録画の予約方法であって、
操作部の押圧操作により上記映像記録手段の番組録画予約のための表示画面を上記表示手段に表示するステップと、
上記操作部の回転操作回転量に応じて上記予約録画の表示画面の設定項目の内容を表示するステップと、
上記操作部の押圧操作により上記表示画面の設定項目の内容を決定するステップとを備える映像記記録手段付テレビジョン受像機の番組録画の予約方法。
【発明の詳細な説明】
【０００１】
【発明の属する技術分野】
本発明は、例えばＶＣＲ一体型のテレビジョン受像機に使用して好適な映像記録手段付テレビジョン受像機及びその予約方法に関するものである。
【０００２】
【従来の技術】
例えばＶＣＲ一体型のテレビジョン受像機においては、テレビジョン受像機とＶＣＲの操作部を比較的狭い範囲に集約して設ける必要がある。しかしながらこのような狭い範囲に多数のスイッチや操作釦等の操作手段を設けることは困難である。そこで例えばＶＣＲの予約録画の設定やテレビジョン受像機の映像の設定等を、テレビジョン受像機の管面表示を利用して行うことが提案されている。
【０００３】
すなわちその場合に、操作部には例えばアップ／ダウンキーと決定キーが設けられる。そして例えばテレビジョン受像機の管面に表示されるメニュー画面を見ながらアップ／ダウンキーで操作項目を選択し、その後に決定キーで選択された操作項目を決定する。さらにアップ／ダウンキーで選択された操作項目の操作量を入力し、その後に決定キーで入力された操作量を決定する。
【０００４】
ところがこのようなアップ／ダウンキーと決定キーとからなる操作手段では、操作を行う際に、例えば管面のメニュー画面と、操作部のアップ／ダウンキー及び決定キーの両方を交互に見ながら操作を行わなければならない。従ってこの場合に、例えば管面のメニュー画面から目を離すことは、操作性を著しく悪化させる恐れがあり、誤操作等も生じ易くなってしまうものである。
【０００５】
【発明が解決しようとする課題】
この出願はこのような点に鑑みて成されたものであって、解決しようとする問題点は、従来の装置では、例えば管面のメニュー画面と操作部のアップ／ダウンキー及び決定キーの両方を交互に見ながら操作を行うために、操作性が悪く、誤操作等も生じ易くなっていたというものである。
【０００６】
【課題を解決するための手段】
このため本発明においては、操作部の回転によってその回転量に従った第１の入力が行われると共に、操作部の押圧によって第２の入力が行われる操作手段を用いて操作を行うようにしたものであって、これによれば、操作性が向上し、良好にＶＣＲの予約録画の設定やテレビジョン受像機の映像の設定等の操作を行うことができる。
【０００７】
【発明の実施の形態】
すなわち本発明は、表示手段を有し映像記録手段が一体的に組み込まれた映像記録手段付テレビジョン受像機において、操作部の回転によってその回転量に従った第１の入力が行われると共に操作部の押圧によって第２の入力が行われる操作手段と、操作手段による第２の入力が行われると映像記録手段の番組録画予約のための表示画面を表示手段に表示し、第１の入力に対応して予約録画の表示画面の設定項目の内容を表示し、更に第２の入力が行われると表示画面の設定項目の内容を決定するように制御する制御手段とを備えるか、若しくは表示手段を有し映像記録手段が一体的に組み込まれた映像記録手段付テレビジョン受像機の番組録画の予約方法であって、操作部の押圧操作により映像記録手段の番組録画予約のための表示画面を表示手段に表示するステップと、操作部の回転操作回転量に応じて予約録画の表示画面の設定項目の内容を表示するステップと、操作部の押圧操作により表示画面の設定項目の内容を決定するステップとを備えてなるものである。
【０００８】
【実施例】
以下、図面を参照して本発明を説明するに、図１は本発明による映像記録手段付テレビジョン受像機及びその予約方法を適用した例えばＶＣＲ一体型のテレビジョン受像機の一例の構成を示すブロック図である。
【０００９】
この図１において、アンテナ１からの信号が受信回路２に供給されて所望のテレビジョン放送信号が受信される。この受信されたテレビジョン放送信号が復調回路３に供給されて映像及び音声信号が復調され、これらの信号（音声信号は省略）は切り替えスイッチ４の一方の接点を通じて、例えば映像信号の処理回路５に供給される。そしてこの処理回路５からの信号が後述する管面表示回路６、出力アンプ７を通じて受像管８に供給される。
【００１０】
また、復調回路３からの信号がＶＣＲ系の記録回路９に供給される。この記録回路９からの信号が記録再生部１０に供給されて、映像及び音声信号の記録再生が行われる。さらにこの記録再生部１０からの信号が再生回路１１を通じて取り出される。そしてこの再生回路１１からの再生信号が切り替えスイッチ４の他方の接点を通じて、例えば映像信号の処理回路５に供給される。
【００１１】
さらに、受信回路２での受信信号の同調や、例えば映像信号の処理回路５での映像信号の処理、音声信号の処理等は、システム制御用のマイクロコンピュータ１２によって制御される。また例えばＶＣＲ系で記録回路９及び記録再生部１０を制御していわゆる予約録画を行う場合の制御も、このマイクロコンピュータ１２によって行われる。
【００１２】
そしてこのマイクロコンピュータ１２に対して、ロータリースイッチ１３からの信号が供給される。このロータリースイッチ１３は、例えばロータリーエンコーダ部とプッシュスイッチ部とから構成される。そして例えば摘子１４が時計回り、または反時計回りに回転されることによって、ロータリーエンコーダ部の各端子Ａ〜Ｄ間に例えば図２に示すような信号が取り出される。また、摘子１４の押圧によってプッシュスイッチ部の端子Ｅ、Ｆ間が導通されるものである。
【００１３】
さらに、その他のキー入力手段１５からの信号がマイクロコンピュータ１２に供給される。またこのマイクロコンピュータ１２で形成される任意の管面表示用の信号が、上述の管面表示回路６に供給される。なおこの管面表示回路６では、マイクロコンピュータ１２からの３原色（Ｒ／Ｇ／Ｂ）の表示信号が、制御信号（ＹＳ／ＹＭ）によって切り換えられて、処理回路５からの映像信号に重畳されるものである。
【００１４】
そしてこの装置において、上述のロータリースイッチ１３の摘子１４が、例えば受像管８の表示面の下側に設けられる。すなわち図３において、装置の上部に受像管８の表示面２１が設けられる。またその表示面２１の下側には、ビデオカセットの挿入口２２が設けられると共に、その挿入口２２の左側には、主電源スイッチ２３と、電源ランプ２４、録画ランプ２５、予約録画ランプ２６等の表示ランプが設けられる。
【００１５】
さらに表示面２１の下側には、上述のその他のキー入力手段１５となるＶＣＲの操作部（カセット取り出し釦２７、停止釦２８、巻戻し釦２９、再生釦３０、早送り釦３１、一時停止釦３２、録画釦３３）や、テレビジョン受像機の操作部（音量増減釦３４／３５、チャンネルアップ／ダウン釦３６／３７）等が設けられる。そしてこれらの操作部の右側に、上述のロータリースイッチ１３の摘子１４が設けられている。
【００１６】
そこでこのロータリースイッチ１３を用いての操作が、例えば以下のようにして行われる。例えば予約録画の設定においては、最初に図４の右側に示すように摘子（ロータリーボタン）１４が押圧されることによって、例えば図４のＡに示すような予約録画の表示画面がマイクロコンピュータ１２で形成されて、管面表示回路６を通じて表示面２１に表示される。そしてこの表示画面に対して摘子１４を回転させることによって、例えば表示された時刻が変更される。
【００１７】
すなわち摘子１４を回転させることによって、マイクロコンピュータ１２には図２に示したような信号が供給される。ここで破線で示した位置にクリックを設けることによって、マイクロコンピュータ１２には常にいずれかの信号が供給されている。そして摘子１４の回転により次の信号がマイクロコンピュータ１２に供給されると、前の信号との関係で摘子１４の回転された方向が判別され、この方向に従って表示された時刻を正逆に変更することができる。
【００１８】
これによって例えば図４のＢに示すように、所望の予約録画の開始時刻が設定される。そしてこの設定が行われた状態で再び摘子１４が押圧されると、画面では例えば図４のＣに示すように順次に次の項目が選択され、それぞれ上述の動作を繰り返すことによって選択と設定が行われる。
【００１９】
このようにして予約録画の設定を行うことができる。そしてこの場合に、設定は一つの摘子（ロータリーボタン）１４の押圧及び回転によって行われるので、使用者は表示面２１を見たままで設定を行うことができ、操作性が向上し、誤操作等の恐れも解消することができる。また、操作部の設置面積も縮小することができるものである。
【００２０】
さらに図５には、映像及び／または音声の設定を行う際の操作の手順を示す。すなわち図５において、最初に図面の右側に示すように摘子（ロータリーボタン）１４が押圧されることによって、例えば図のＡに示すようなメニュー画面がマイクロコンピュータ１２で形成されて、管面表示回路６を通じて表示面２１に表示される。そしてこの表示画面に対して摘子１４を回転させることによって、例えば表示された項目が選択される。
【００２１】
これによって例えば図５のＢに示すように、例えば画面モードの項目が選択された状態で再び摘子１４が押圧されると、画面は例えば図５のＣに示すように画面モードの選択画面となり、ここで摘子１４を回転させることによって、表示された項目中の任意の画面モード（ワイドズーム）が選択される。さらに摘子１４が押圧されることによって選択された画面モードが決定される。
【００２２】
従ってこの装置において、操作部の回転によってその回転量に従った第１の入力が行われると共に、操作部の押圧によって第２の入力が行われる操作手段を用いて操作を行うことによって、操作性が向上し、良好にＶＣＲの予約録画の設定やテレビジョン受像機の映像の設定等の操作を行うことができる。
【００２３】
これによって、従来の装置では、例えば管面のメニュー画面と操作部のアップ／ダウンキー及び決定キーの両方を交互に見ながら操作を行うために、操作性が悪く、誤操作等も生じ易くなっていたものを、本発明によればこれらの問題点を容易に解消することができるものである。
【００２４】
こうして本発明によれば、表示手段を有し映像記録手段が一体的に組み込まれた映像記録手段付テレビジョン受像機において、操作部の回転によってその回転量に従った第１の入力が行われると共に操作部の押圧によって第２の入力が行われる操作手段と、操作手段による第２の入力が行われると映像記録手段の番組録画予約のための表示画面を表示手段に表示し、第１の入力に対応して予約録画の表示画面の設定項目の内容を表示し、更に第２の入力が行われると表示画面の設定項目の内容を決定するように制御する制御手段とを備えるか、若しくは表示手段を有し映像記録手段が一体的に組み込まれた映像記録手段付テレビジョン受像機の番組録画の予約方法であって、操作部の押圧操作により映像記録手段の番組録画予約のための表示画面を表示手段に表示するステップと、操作部の回転操作回転量に応じて予約録画の表示画面の設定項目の内容を表示するステップと、操作部の押圧操作により表示画面の設定項目の内容を決定するステップとを備えることにより、操作性が向上し、良好にＶＣＲの予約録画の設定やテレビジョン受像機の映像の設定等の操作を行うことができるものである。
【００２５】
【発明の効果】
従って本発明によれば、操作部の回転によってその回転量に従った第１の入力が行われると共に、操作部の押圧によって第２の入力が行われる操作手段を用いて操作を行うことによって、操作性が向上し、良好にＶＣＲの予約録画の設定やテレビジョン受像機の映像の設定等の操作を行うことができるようになった。
【００２６】
これによって、従来の装置では、例えば管面のメニュー画面と操作部のアップ／ダウンキー及び決定キーの両方を交互に見ながら操作を行うために、操作性が悪く、誤操作等も生じ易くなっていたものを、本発明によればこれらの問題点を容易に解消することができるものである。
【図面の簡単な説明】
【図１】本発明の適用される操作入力装置の一例の構成図である。
【図２】その動作の説明のための図である。
【図３】その説明のための図である。
【図４】その操作手順の説明のための図である。
【図５】その操作手順の説明のための図である。
【符号の説明】
１…アンテナ、２…受信回路、３…復調回路、４…切り替えスイッチ、５…映像信号の処理回路、６…管面表示回路、７…出力アンプ、８…受像管、９…記録回路、１０…記録再生部、１１…再生回路、１２…システム制御用のマイクロコンピュータ、１３…ロータリースイッチ、１４…摘子、１５…その他のキー入力手段
【図１】
0003941187.tif 000002
【図２】
0003941187.tif 000003
【図３】
0003941187.tif 000004
【図４】
0003941187.tif 000005
【図５】
0003941187.tif 000006